(57)【特許請求の範囲】
【請求項１】
電装品を内蔵する筐体と、この筐体の前面に設けられた蓋体と、この蓋体に形成された多角形状の窓孔を覆う摺動可能な矩形状のカバーとを備えたショーケースにおいて、前記筐体には、電装品操作スイッチが前記蓋体の窓孔から操作可能に配設され、前記窓孔は、対向する一対の平行な異なる長さの縁部を有しており、前記カバーは、上辺部および下辺部にそれぞれ窓孔と係合する２つの係合爪を設け、一方の係合爪の間隔を前記窓孔の平行な縁部のうち短い側の縁部の長さと同じ長さとすると共に、他方の係合爪を一方の係合爪の間に位置していることを特徴とするショーケース。
【請求項２】
前記電装品操作スイッチは、照明用スイッチまたは冷非切替スイッチであることを特徴とする請求項１のショーケース。
【発明の詳細な説明】
【０００１】
【発明の属する技術分野】
本発明は、電装品が内蔵された筐体を備えた冷却ショーケースに関するものである。
【０００２】
【従来の技術】
最近、ショーケースにおいて、日常の温度チェックで見ることの多い液晶の温度表示や、操作することの多い照明制御、冷非切替などのスイッチ類等を１個の筐体に纏めて収容することにより、機能を集中し、見やすく操作し易くする工夫がされている。そして、大規模店舗においては、集中的にショーケースの陳列室の温度や照明が管理され、一方、小規模店舗においては、ショーケースを個別に管理することも行われている。
【０００３】
そのような第１の従来例としての機能集中型温度計６１を図１５および図１６に示す。筐体６２には、図示しない基板が内蔵されており、この筐体６２の前面側には、液晶の表示部６７、シートスイッチ型の照明用スイッチ６８および冷非切替スイッチ６９等が蓋体６３の窓孔６５から可視可能に設けられている。尚、前記蓋体６３は取外し可能とされている。さらに、この窓孔６５全体を覆うカバー６６が設けられ、このカバー６６の前記窓孔６５の四隅に対応する位置には前記窓孔６５に係合する係合爪７３ａ、７３ａ・・・が設けられており、この係合爪７３ａ、７３ａ・・・を前記窓孔６５に係合させて窓孔６５に固定されている。前面の液晶の表示部６７にはショーケースの陳列室の温度が表示され、ショーケース毎に店の管理者が日常の温度管理を行うことができる。また、照明用スイッチ６８を操作して、開店時は蛍光ランプを点灯し陳列室の商品の展示効果を向上させるとともに、閉店後は消灯をして節電等を図るようにしている。
【０００４】
また、第２の従来例として、前記筐体６２の左右側面部には図示しない係止孔を設け、一方前記蓋体６３の左右両端部には図示しないピンを設けておき、このピンを前記係止孔に係合させることによって、図１７に示す如く、前記蓋体６３を回動自在に枢支しておき、この蓋体６３を回動し開放した後、前記照明スイッチ６８を操作している。
【０００５】
【発明が解決しようとする課題】
しかしながら、第１の従来例においては、節電のため照明用スイッチ６８および冷非切替スイッチ６９を操作するには、前記蓋体６３を取外してから、照明用スイッチ６８を操作することが必要であった。そのため、閉店時に照明用スイッチ６８をオフし、翌日の開店時はオンするという操作を繰り返し行うため、その都度前記蓋体６３を外し照明用スイッチ６８を操作する作業が必要となり、煩わしい作業であった。
【０００６】
また、第２の従来例においては、前記第１の従来例と異なり、蓋体６３が回動自在に枢支されているため、蓋体６３を回動し開放することにより照明用スイッチ６８を操作できるので、その都度前記蓋体６３を外す作業は不要となる。しかし、手指で照明用スイッチ６８を操作する際に近くの冷非切替スイッチ６９を誤って操作することがあり、その場合には、ショーケースの陳列室に展示してある商品の品温を上昇させ、商品の溶解や腐敗を発生させることがあり、慎重に操作する必要があった。
【０００７】
さらに、図１８に示す如く、蛍光ランプを付属せず陳列室内の照明は専ら店内の照明に依存しているショーケース１もあり、このような場合には、照明用スイッチ６８の操作をすることがなく、また、冷非切替スイッチ６９の操作を行う頻度は売場の切替時の如く機会が少ないので、いたずらを防止するためには前記カバー６６を通常は開けることができなくすることが得策である。
【０００８】
本発明は、係る従来技術の課題を解決するためになされたもので、照明用スイッチの操作をする際に蓋体を外さなくてもカバーを摺動して照明用スイッチを容易に操作することができるようにし、また、手指で他のスイッチを誤って操作することができないようにすることによりショーケースの陳列室に展示してある商品の溶解や腐敗を発生させないショーケースを提供することを目的とする。
【０００９】
さらに、蓋体を覆うカバーは、摺動できないように固定することもできるため、通常は照明用スイッチや冷非切替スイッチを操作できず、いたずら等により誤操作されるのを防止できるショーケースを提供することを目的とする。
【００１０】
【課題を解決するための手段】
この発明の請求項１のショーケースは、電装品を内蔵する筐体と、この筐体の前面に設けられた蓋体と、この蓋体に形成された多角形状の窓孔を覆う摺動可能な矩形状のカバーとを備えたものであって、前記筐体には、電装品操作スイッチが前記蓋体の窓孔から操作可能に配設され、前記窓孔は、対向する一対の平行な異なる長さの縁部を有しており、前記カバーは、上辺部および下辺部にそれぞれ窓孔と係合する２つの係合爪を設け、一方の係合爪の間隔を前記窓孔の平行な縁部のうち短い側の縁部の長さと同じ長さとすると共に、他方の係合爪を一方の係合爪の間に位置しているものである。
【００１１】
請求項１の発明によれば、通常はカバーを窓孔の縁部に対して摺動させて窓孔から電装品操作スイッチを容易に操作することができるようにし、また、そのスイッチを操作しないショーケースの場合には前記カバーを１８０度回転させてこのカバーの係合爪を窓孔の縁部に係合させることにより固定し、摺動できないようにすることもできるので、いたずらを防止できる。
【００１２】
この発明の請求項２のショーケースは、請求項１において、前記電装品操作スイッチは、照明用スイッチまたは冷非切替スイッチであるものである。
【００１３】
請求項２の発明によれば、通常はカバーを窓孔の縁部に対して摺動させて窓孔から照明用スイッチまたは冷非切替スイッチを容易に操作することができるようにし、また、そのスイッチを操作しない場合には前記カバーを１８０度回転させてこのカバーの係合爪を窓孔の縁部に係合させることにより固定し、摺動できないようにすることもできるので、いたずらを防止できるとともに、ショーケース毎に蛍光ランプのオンオフを容易に行えるので節電でき、またショーケース毎の冷非の切替も容易である。
【００１６】
【発明の実施の形態】
次に、図面に基づき本発明の実施の形態を詳述する。尚、前記従来例と構成的に同一又は相当する部分については同一番号を付す。図１は本発明を適用したショーケースの斜視図、図２は図１のショーケースの側断面図、図３は本発明に係る機能集中型温度計の外観斜視図、図４は図３においてカバーを外した状態を示す分解斜視図、図５は図３の機能集中型温度計の正面図、図６はカバーを外し、１８０度回転させた状態を示す分解斜視図、図７は図６におけるカバーを取り付けた状態を示す機能集中型温度計の正面図、図８は図７においてカバーを右方向へ摺動させて照明スイッチを操作できるようにした状態を示す機能集中型温度計の正面図、図９は図８における機能集中型温度計の斜視図、図１０は図７におけるＡ−Ａ断面における側断面図、図１１は図７におけるＢ−Ｂ断面における側断面図、図１２はカバーおよび蓋体を外した状態を示す機能集中型温度計の側断面図、図１３は蓋体を開けた状態を示す機能集中型温度計の側面図、図１４は他の実施例としての機能集中型温度計を示す斜視図をそれぞれ示している。
【００１７】
本発明の機能集中型温度計３１は、ショーケース１の日常の管理と清掃、定期的なクレンリネス、保守点検のための作業をし易くするため、図１に示す如く、ショーケース１の前面上部に設けられている。
【００１８】
まず初めに、ショーケース１の全体構成について説明する。図１および図２に示す如く、ショーケース１の本体は、前壁７、上壁８、後壁９、底壁１０および左右の側板５、５からなり、これら前壁７等の内部にはたとえば発泡ポリウレタン等の発泡樹脂が断熱材として充填され、断熱壁１１を構成し、ショーケース１の前面には、商品収納および取出用の開口２が形成されている。ショーケース１の本体の下側には複数の脚１２が設けられている。
【００１９】
そして、断熱壁１１の内面より適当な間隔を有して、塗装鋼板やステンレスなどの錆びない金属板からなる区画天板１３、区画壁板１４および区画床板１５が配設されている。これら区画天板１３、区画壁板１４および区画床板１５と断熱壁１１との間の空間が冷気流路１６となる。この冷気流路１６の一部は、隔壁１７で２つの内側流路１６ａと外側流路１６ｂに分割されている。区画天板１３、区画壁板１４および区画床板１５で囲まれた陳列室１８には、多段の商品陳列棚１９が設けられている。各商品陳列棚１９、１９・・・および区画天板１３の前方下部には、蛍光ランプ２８が配設され、陳列室１８に載置された商品を照らし、展示効果を上げている。
【００２０】
そして、冷気流路１６には、内側流路１６ａ内に冷却器２１が、また、区画床板１５の下側に図示しない冷却器用送風機が配置されている。この冷却器２１には、ショーケース１とは別体に配置されている凝縮器および圧縮機などからなる冷凍機（図示しない）から冷媒が供給されており、低温度とされている。そして、冷却器用送風機が回転すると、冷気流路１６内の空気は、図２に図示する矢印の方向に送風され、冷気流路１６の内側流路１６ａに流入した空気は冷却器２１で冷却されてから、庫内側の冷気吐出口２３から陳列室１８内に吐出され、一方、冷気流路１６の外側流路１６ｂに流入した空気は庫外側の冷気吐出口２４から陳列室１８内に吐出されている。
【００２１】
そして、冷気吐出口２３，２４から吐出した冷気は、陳列室１８の前面すなわち商品収納および取出用の開口２においてエアーカーテン２６を形成するとともに陳列室１８内を冷却し、区画床板１５の前方に形成された空気吸込口２７から吸い込まれて冷気流路１６内に戻ってくる。この様にして、空気は循環している。
【００２２】
次に、機能集中型温度計３１は、図３乃至図５に示す如く、筐体３２とこの筐体３２の前面に設けられた蓋体３３と、この蓋体３３に設けられた窓孔３５を塞ぐカバー３６とにより構成される。前記筐体３２には、液晶の表示部３７と、この表示部３７に隣接して、ショーケース１の蛍光ランプ２８をオンオフするための照明用スイッチ３８とが蓋体３３の窓孔３５から可視可能に配置され、この照明用スイッチ３８に隣接して、冷非切替スイッチ３９が窓孔３５から一部可視可能に配置されている。尚、冷非切替スイッチ３９は、冷凍機からの冷媒を供給または停止することによりショーケースの要冷、非冷を切替えるためのものである。さらに、これら液晶の表示部３７、スイッチ３８、３９の基板（図示しない）および複数のショーケース１を集中管理するための端末としての基板（図示しない）等の電装品がこの筐体３２に設けられている。尚、照明用スイッチ３８および冷非切替スイッチ３９は、シートスイッチ型のものである。
【００２３】
蓋体３３の窓孔３５は、対向する一対の平行な異なる長さの縁部３０を有し、横長の略長方形の長辺の一辺である下辺を短くし、隣接する左の短辺とこの下辺とを斜めに結んだ五角形となっている。
【００２４】
前記カバー３６の外観は、窓孔３５の大きさより少許大なる大きさであり、透明の樹脂から一体に射出成形された略長方形のものであって、このカバー３６の上辺部および下辺部の裏面に各２個所の係合爪４３ａ、４３ａ、４３ｂ、４３ｂを有する。この係合爪４３ａ、４３ａ、４３ｂ、４３ｂは、下辺部の裏面の係合爪４３ｂ、４３ｂの間隔を窓孔３５の長さの短い下辺の略両端と同じ長さにし、上辺部の裏面の係合爪４３ａ、４３ａを下辺部の係合爪４３ｂ、４３ｂの間に位置させている。尚、このカバー３６の係合爪４３ａ、４３ａ、４３ｂ、４３ｂの窓孔３５への掛かり代は、少許係止されるものであるので、カバー３６を窓孔３５から容易に取外すことができる。
【００２５】
図１０乃至図１２に示す如く、前記筐体３２には、側面の左右前方上部に係止孔４０を設けるとともに、前記蓋体３３には、上部の左右両端にピン４１を設けておき、このピン４１を前記係止孔４０に係合させることによって前記蓋体３３を回動自在に枢支している。
【００２６】
以上の構成により、このカバー３６の使用方法を説明する。蛍光ランプを付属せず陳列室１８内の照明は専ら店内の照明に依存している図１８に示す如きショーケース１の場合には、照明用スイッチ３８を使用しない。また、図１に示す如きショーケース１の場合であっても、大規模店舗等において集中管理する場合には、照明用スイッチ３８や冷非切替スイッチ３９を操作することがない。このような場合は、前記カバー３６を開ける必要がなく、この機能集中型温度計３１は、ショーケース１毎に陳列室１８内の温度を表示するためにのみ使用される。そこで、蓋体３３の窓孔３５を覆うカバー３６は、図３乃至図５に示す如く、このカバー３６の上辺部および下辺部の裏面の各２個所の係合爪４３ａ、４３ａ、４３ｂ、４３ｂは、このカバー３６を前記蓋体３３の窓孔３５に係合したときに、係合爪４３ｂ、４３ｂを前記窓孔３５の下辺の両端に係合しているため、固定されて摺動できない状態になる。この状態では、カバー３６が摺動せず照明用スイッチ３８や冷非切替スイッチ３９を操作できないので、いたずら等により誤操作されるのを防止できる。
【００２７】
次に、各ショーケース１毎に蛍光ランプ２８の点灯をオンオフする店舗の場合には、図６乃至図９に示す如く、一旦、前記カバー３６を外し、１８０度回転させる。このとき、カバー３６の係合爪４３ａ、４３ａ、４３ｂ、４３ｂは、このカバー３６を前記蓋体３３の窓孔３５に係合したときに、このカバー３６の下辺となる係合爪４３ａ、４３ａの位置は、前記窓孔３５の下辺の両端の位置ではなく、上辺となる係合爪４３ｂ、４３ｂは前記窓孔３５の上辺の略中央部および左端部に位置している。そして、このカバー３６を窓孔３５に係合させたときに、右側の係合爪４３ａ、４３ｂから窓孔３５の右辺まではある程度の距離を有している。そのため、カバー３６を右方向に摺動させることができる。したがって、照明用のスイッチ３８を操作する際は、このカバー３６を右方向にずらすことにより、照明用スイッチ３８を操作することができる。尚、このときの摺動可能距離は、前記右側の係合爪４３ａ、４３ｂから窓孔３５の右辺までの距離と略同等であるので、この距離が通常手指の大きさ以上の寸法であれば、照明用スイッチ３８を操作することができる。
【００２８】
さらに、照明用スイッチ３８の下方には、冷非切替スイッチ３９が設けられているが、蓋体３３の窓孔３５は、略長方形の長辺の一辺である下辺を短くし、隣接する短辺とを斜めに結んだ五角形の形状であるため、冷非切替スイッチ３９が略隠れた状態になっており、手指ではこの冷非切替スイッチ３９を押すことができず、誤ってこの冷非切替スイッチ３９を操作することがない。したがって、ショーケース１の陳列室１８に展示してある商品の品温を上昇させて商品の溶解や腐敗を発生させることがない。
【００２９】
そして、要冷商品と非冷商品の売場変更、冷凍機未使用時の節電およびクレンリネス（清掃時に電源を切断し、怪我を防止する）等を目的として、ショーケース１の冷非切替スイッチ３９を個別に操作したい場合には、図１３に示す如く、蓋体３３を持ち上げるようにして開けることにより、同時にカバー３６も開けることができるので、この冷非切替スイッチ３９を容易に操作できる。
【００３０】
また、例えば、係合爪４３ａ，４３ａ、４３ｂ、４３ｂを図７に示す如き位置にしてカバー３６を摺動可能にしておいて工場から出荷し、ショーケース１を店舗内にて設置する際はカバー３６を摺動し開放してから、必要に応じ冷非切替スイッチ３９を要冷または非冷に切替えて、設置後はカバー３６を図３に示す如く摺動不可能にしておくことによりいたずらを防止するという使用方法もすることができる。
【００３１】
尚、前記実施例において前記カバー３６は透明であるが、例えば、複数のショーケース１の陳列室１８の温度を集中管理する場合にあっては、機能集中温度計３１から発する温度信号による温度を管理センターにおいて把握すれば足りるので、ショーケース１毎に温度を表示させる必要がなく、そのような場合は半透明又は不透明の樹脂製又は鋼板製のカバー３６の如き不可視な材質であってもよい。
【００３２】
また、前記実施例において窓孔３５は五角形であるが、窓孔３５が上底と下底が平行であって上底が長く下底が短い縁部を有する図示しない略台形であり、一方、前記カバー３６は、前記窓孔３５に係合させたときに、前記窓孔３５の下底である縁部の略両端部に係合される少なくとも２つの係合爪４３ｂ、４３ｂと、前記窓孔３５の上底である縁部に係合される少なくとも１つの係合爪４３ａとを有するとともに、前記上底と下底である平行な縁部３０を摺動可能であるものであって、窓孔３５から取り外し可能に形成されているものである場合にも、前記実施例と同様に、固定されて摺動できない状態にすることもできる。この状態では、通常は照明用スイッチ３８や冷非切替スイッチ３９を操作できないので、いたずら等により誤操作されるのを防止できる。そして、各ショーケース１毎に蛍光ランプ２８の点灯をオンオフする場合には、前述と同様に、一旦、前記カバー３６を外し、１８０度回転させてから窓孔３５に係合させ、このカバー３６を右方向にずらすことにより、照明用スイッチ３８を操作することができる。
【００３３】
また、図１４に示す如く、窓孔３５の形状が略長方形であって、短辺となる下辺側に突起４５を有しており、前記カバー３６は、前記窓孔３５に係合させたときにこの突起４５と窓孔３５の右下隅との間の線分の略両端部に係合される少なくとも２つの係合爪４３ｂ、４３ｂを有し、前記窓孔３５の一対の平行な縁部３０のうち長い側の縁部３０に係合される少なくとも１つの係合爪４３ａとを有するとともに、前記一対の平行な縁部３０を摺動可能であるものであって、窓孔３５から取り外し可能に形成されているものである場合にも、固定されて摺動できない状態にすることができる。この状態では、照明用スイッチ３８や冷非切替スイッチ３９を操作できないので、いたずら等により誤操作されるのを防止できる。そして、各ショーケース１毎に蛍光ランプ２８の点灯をオンオフする場合には、前述と同様に、一旦、前記カバー３６を外し、１８０度回転させてから窓孔３５に係合させ、このカバー３６を右方向にずらすことにより、照明用スイッチ３８の操作をすることができる。
【００３４】
またさらに、前記実施例においてこのカバー３６の係合爪４３ａ、４３ａ、４３ｂ、４３ｂは窓孔３５に少許係止されているものであるが、このカバー３６の材質が可撓性のものの場合であっても、窓孔３５から容易に取外すことができ、前述と同様に実施することができる。
【００３５】
尚、電装品操作スイッチとしては、照明用スイッチばかりでなく、例えば、貯蔵室１８の温度表示と時刻表示の切替用スイッチの如きものや、霜取開始時刻を設定するための霜取開始設定スイッチの如きものであっても前述と同様に実施することができる。
【００３６】
【発明の効果】
以上詳述した如く請求項１の発明によれば、通常はカバーを窓孔の縁部を摺動させて窓孔から電装品操作スイッチを容易に操作することができるようになり、また、そのスイッチを操作しないショーケースの場合には前記カバーを１８０度回転させてこのカバーの係合爪を窓孔の縁部に係合させることにより固定し、摺動できないようにすることもできるので、いたずらを防止できる。
【００３７】
請求項２の発明によれば、通常はカバーを窓孔の縁部を摺動させて窓孔から照明用スイッチまたは冷非切替スイッチを容易に操作することができるようになり、また、そのスイッチを操作しない場合には前記カバーを１８０度回転させてこのカバーの係合爪を窓孔の縁部に係合させることにより固定し、摺動できないようにすることもできるので、いたずらを防止できるとともに、ショーケース毎に蛍光ランプ２８のオンオフを容易に行えるので節電でき、またショーケース毎の冷非の切替も容易である。
【図面の簡単な説明】
【図１】本発明を適用したショーケースの斜視図である。
【図２】図１のショーケースの側断面図である。
【図３】機能集中型温度計の外観斜視図である。
【図４】図３においてカバーを外した状態を示す分解斜視図である。
【図５】図３の機能集中型温度計の正面図である。
【図６】カバーを外し、１８０度回転させた状態を示す分解斜視図である。
【図７】図６におけるカバーを取り付けた状態を示す機能集中型温度計の正面図である。
【図８】図７においてカバーを右方向へ摺動させて照明スイッチを操作できるようにした状態を示す機能集中型温度計の正面図である。
【図９】図８における機能集中型温度計の斜視図である。
【図１０】図７におけるＡ−Ａ断面における側断面図である。
【図１１】図７におけるＢ−Ｂ断面における側断面図である。
【図１２】カバーおよび蓋体を外した状態を示す機能集中型温度計の側断面図である。
【図１３】蓋体を開けた状態を示す機能集中型温度計の側面図である。
【図１４】他の実施例としての機能集中型温度計を示す斜視図である。
【図１５】従来例を示す機能集中型温度計の正面図である。
【図１６】図１５においてカバーを外した状態を示す分解斜視図である。
【図１７】図１５における機能集中型温度計の蓋体を開けた状態を示す側面図である。
【図１８】蛍光ランプを内蔵していないショーケースの斜視図である。
【符号の説明】
１  ショーケース
２  商品収納および取出用開口
７  前壁
１１  断熱材
１８  陳列室
２３，２４  冷気吐出口
２６  エアーカーテン
２７  空気吸込口
３１  機能集中型温度計
３２  筐体
３３  蓋体
３５  窓孔
３６  カバー
３７  表示部
３８  照明用スイッチ
３９  冷非切替スイッチ
４１  ピン
４０  係止孔
４３ａ、４３ｂ係合爪
４５  突起
【図１】
0003802303.tif 000002
【図２】
0003802303.tif 000003
【図３】
0003802303.tif 000004
【図４】
0003802303.tif 000005
【図５】
0003802303.tif 000006
【図６】
0003802303.tif 000007
【図７】
0003802303.tif 000008
【図８】
0003802303.tif 000009
【図９】
0003802303.tif 000010
【図１０】
0003802303.tif 000011
【図１１】
0003802303.tif 000012
【図１２】
0003802303.tif 000013
【図１３】
0003802303.tif 000014
【図１４】
0003802303.tif 000015
【図１５】
0003802303.tif 000016
【図１６】
0003802303.tif 000017
【図１７】
0003802303.tif 000018
【図１８】
0003802303.tif 000019